(57)【要約】  【課題】ルーフ開時に、アイドルストップによるエンジンの自動停止を行う機会を増大させつつ、乗員の空調ニーズをも満足させる。  【解決手段】ブロアファン４を駆動することにより、空調風がヒータコア１０を通過した後に車室内に吹き出される（暖房）。ルーフ開時には、ルーフ閉時に比して、アイドルストップ条件が緩和されて（エンジンが自動停止されやすくされて）、燃費向上が図られる。要求吹出温度が所定値以上のときは、ルーフ閉時にはアイドルストップによるエンジン自動停止が禁止される一方、ルーフ開時には、エンジン自動停止を許可して、エンジン自動停止時には内気循環モードとしつつ、空調風がヒータコア１０を通過して車室内に吹き出すように制御される（ヒータコア１０の余熱を利用した暖房を実行）。【選択図】  図８
2015186962.tif 000002
【特許請求の範囲】
【請求項１】
ルーフが開閉可能とされた車両における車両用空調制御装置であって、
車両停止を含む所定のアイドルストップ条件が成立したときに、エンジンを自動的に停止させるアイドルストップ制御手段と、
風量調整用のブロアファンとエンジン冷却水を熱源として空調風を加温するヒータコアを備えた空調装置と、
を備え、
前記アイドルストップ制御手段は、ルーフ開時はルーフ閉時に比して、アイドルストップが実行されやすくなるように前記アイドルストップ条件を緩和するように制御し、
前記空調装置を制御する空調制御手段が、ルーフ閉時において、乗員による設定室内温度または車室内温度との少なくとも一方に基づいて決定される要求吹出温度が所定値よりも高い状態のときは、前記アイドルストップ制御手段に対してエンジンの自動停止を禁止する禁止信号を出力し、
前記空調制御手段は、ルーフ開時において、前記要求吹出温度が前記所定値よりも高い状態のときは、エンジンの自動停止を許可する許可信号を前記アイドルストップ制御手段に出力すると共に、エンジンが自動停止されているときに内気循環モードとしつつ空調風が前記ヒータコアを通過するように制御する特定空調制御を行う、
ことを特徴とする車両用空調制御装置。
【請求項２】
請求項１において、
前記空調制御手段は、ルーフ開時において、前記特定空調制御を行っているときに、前記要求吹出温度と実現可能な吹出温度との温度差が所定温度差以上となったときに、前記アイドルストップ制御手段に対してエンジンの自動停止を禁止する禁止信号を出力する、ことを特徴とする車両用空調制御装置。
【請求項３】
請求項１または請求項２において、
前記空調制御手段は、前記特定空調制御を行っているときは、乗員の足下に向かう吹出口からのみ空調風を吹き出させるように制御する、ことを特徴とする車両用空調制御装置。
【発明の詳細な説明】
【技術分野】
【０００１】
本発明は、車両用空調制御装置に関するものである。
【背景技術】
【０００２】
車両用空調制御装置にあっては、コンプレッサ、コンデンサおよびエバポレータを含む冷風生成器と、エンジン冷却水を熱源とする温風生成器とを有して、冷風と温風との混合比率をエアミックスダンパによって変更して、所望温度の空調風を得るようにしている。そして、空調風は、ブロアファンによって車室内に送風されることになり、ブロアファンの回転数変更によって送風量が変更される。上記コンプレッサは、エンジンにより駆動され、また冷却水の循環を行うウオータポンプもエンジンにより駆動されるのが一般的である。したがって、エンジンが停止したときには、コンプレッサおよびウオータポンプが停止されて、冷風生成機能および温風生成機能が停止されることになる。
【０００３】
また、車両用空調制御装置にあっては、目標室内温度となるように実際の室内温度を自動制御するオートエアコンが主流となっている。空調の自動制御は、車室内の環境条件、車室外の環境条件、乗員による空調操作状態（特に目標室内温度の設定）を表すパラメータに応じて行われて、空調吹出温度、空調風の吹き出し口、空調風の吹出量等が自動設定されることになる。
【０００４】
一方、最近の車両では、燃費向上のために、車両停止時や停止直前の極低速時にエンジンを自動停止させるいわゆるアイドルストップを行うものが多くなっている。このアイドルストップは、あらかじめ設定された開始条件が成立しているを条件に実行され、この開始条件としては、例えば、車速が零であること（車両停止であること）、ブレーキ操作されていること、アクセル操作されていないこと、変速機がＤ位置にある等の全ての条件を満足するものとして設定されることが一般的である。
【０００５】
一方、オープンカーで代表されるルーフを開閉可能とした車両において、特許文献１に示すように、ルーフ開時とルーフ閉時とで空調モードを変更することが開示されている。すなわち、ルーフ閉時には、目標吹出温度に基づいた内外気モードにする一方、ルーフ開時には、目標吹出温度にかかわらず強制的に内気モードに変更することが開示されている。
この特許文献１にものでは、ルーフ開時に内気モードとすることにより、空調ユニットの吹出開口部からの吹出風量を車速に関係なく一定にすることを意図したものとなっている。
【先行技術文献】
【特許文献】
【０００６】
【特許文献１】特開２００１−８８５３７号公報
【発明の概要】
【発明が解決しようとする課題】
【０００７】
ところで、外気にふれつつ走行を楽しむ状況となるルーフ開時での空調ニーズは、ルーフ閉時に比して相対的に低いものとなる。一方、アイドルストップによるエンジンの自動停止の条件をルーフ閉時とルーフ開時と同一に設定したままでは、空調ニーズの低いルーフ開時において、アイドルストップによってエンジンを自動停止する機会が少なくなってしまうことになる。このため、アイドルストップ条件を、ルーフ開時はルーフ閉時に比して緩和して、エンジンが自動停止される機会を増大することが考えられる。
【０００８】
上述のように、ルーフ開時にアイドルストップ条件を緩和することは、燃費向上の上では好ましいものとなる。その反面、アイドルストップによるエンジンの自動停止に起因して空調装置の作動を停止すると、外気温度が低い暖房時に、ルーフが開かれているが故に、乗員は寒さの影響を受けやすくなって不快感を感じやすいものとなる（乗員の空調ニーズに応えられないものとなりやすい）。
【０００９】
本発明は以上のような事情を勘案してなされたもので、その目的は、ルーフ開時において、アイドルストップによるエンジンの自動停止の機会を増大させつつ、乗員の空調ニーズにも十分応えることのできるようにした車両用空調制御装置を提供することにある。
【課題を解決するための手段】
【００１０】
前記目的を達成するため、本発明にあっては、次のような解決手法を採択してある。すなわち、請求項１に記載のように、
ルーフが開閉可能とされた車両における車両用空調制御装置であって、
車両停止を含む所定のアイドルストップ条件が成立したときに、エンジンを自動的に停止させるアイドルストップ制御手段と、
風量調整用のブロアファンとエンジン冷却水を熱源として空調風を加温するヒータコアを備えた空調装置と、
を備え、
前記アイドルストップ制御手段は、ルーフ開時はルーフ閉時に比して、アイドルストップが実行されやすくなるように前記アイドルストップ条件を緩和するように制御し、
前記空調装置を制御する空調制御手段が、ルーフ閉時において、乗員による設定室内温度または車室内温度との少なくとも一方に基づいて決定される要求吹出温度が所定値よりも高い状態のときは、前記アイドルストップ制御手段に対してエンジンの自動停止を禁止する禁止信号を出力し、
前記空調制御手段は、ルーフ開時において、前記要求吹出温度が前記所定値よりも高い状態のときは、エンジンの自動停止を許可する許可信号を前記アイドルストップ制御手段に出力すると共に、エンジンが自動停止されているときに内気循環モードとしつつ空調風が前記ヒータコアを通過するように制御する特定空調制御を行う、
ようにしてある。
【００１１】
上記解決手法によれば、乗員の空調ニーズが相対的に低くなるルーフ開時には、ルーフ閉時に比してアイドルストップ条件を緩和することにより、アイドルストップによるエンジンが自動停止される機会を増大させて、燃費向上を図ることができる。また、乗員が外気の影響を受けやすいルーフ開時において、要求吹出温度が所定値以上のときは、アイドルストップによるエンジンの自動停止を許可しつつも、空調風がヒータコアを通過するようにして、つまりヒータコアの余熱を利用した暖房風を吹き出せるようにして、乗員の不快感（寒さ感）を防止することができる。そして、ヒータコアの余熱を利用した空調風を生成しているときは、強制的に内規循環モードとすることにより、冷たい外気を空調風として取り込むことが防止されて、ヒータコアの余熱を利用した暖房風を極力長い時間確保することができる。なお、ルーフ閉時には、乗員の空調ニーズが高いことから、要求吹出温度が所定値以上のときは、アイドルストップによるエンジンの自動停止を禁止する（行わない）ようにして、乗員の空調ニーズに十分に応えることができる。
【００１２】
上記解決手法を前提とした好ましい態様は、特許請求の範囲における請求項２以下に記載のとおりである。すなわち、
前記空調制御手段は、ルーフ開時において、前記特定空調制御を行っているときに、前記要求吹出温度と実現可能な吹出温度との温度差が所定温度差以上となったときに、前記アイドルストップ制御手段に対してエンジンの自動停止を禁止する禁止信号を出力する、ようにしてある（請求項２対応）。この場合、特定空調制御を行っているときに、ヒータコアの温度が低下する等により、要求吹出温度と実現可能な吹出温度との温度差が所定温度差以上となったとき（つまり乗員の空調ニーズに十分に応えられなくなったとき）は、アイドルストップによるエンジンの自動停止を禁止する禁止信号を出力して、つまりエンジンを自動再始動させるようにして、乗員の空調ニーズに応えることができる。
【００１３】
前記空調制御手段は、前記特定空調制御を行っているときは、乗員の足下に向かう吹出口からのみ空調風を吹き出させるように制御する、ようにしてある（請求項３対応）。この場合、ルーフ開時であることから、防寒対策をしていると思われる上半身に比して、防寒対策が不十分になりやすい乗員の足下に集中的にヒータコアを通過した空調風を吹き出させるようにして、ヒータコアの余熱を有効に利用して乗員の空調ニーズに応えることができる。
【発明の効果】
【００１４】
本発明によれば、アイドルストップによるエンジン自動停止の機会を増大させて燃費向上を図りつつ、エンジン自動停止時における乗員の不快感をも防止することができる。
【図面の簡単な説明】
【００１５】
【図１】ルーフ開閉式の車両について、ルーフが閉じられたときの状態を示す図。
【図２】図１の状態からルーフを開いたとき状態を示す図。
【図３】空調システムの一例を示す系統図。
【図４】冷風生成器と温風生成器との一例を示す図。
【図５】空調の操作パネル部分の一例を示す図。
【図６】空調システムの制御系統例を示す図。
【図７】エンジン自動停止の制御系統例を示す図。
【図８】ルーフ開時における空調制御例を示すタイムチャート。
【図９】ルーフ開時における空調制御例を示すフローチャート。
【発明を実施するための形態】
【００１６】
図１は、ルーフ開閉式とされた車両Ｖを示し、図１では、ルーフＲが閉じられているルーフ閉時の状態が示される。また、図２は、図１の状態からルーフＲが開かれたルーフ開時が示される。
【００１７】
図３は、空調システムＫにおける通路構成例を示すものである。空調システムＫは、既知のものなので簡単に説明すると、流入口１を有する通路部２には、その上流側（流入口１）から下流側に向かって順次、切換ダンパ３、ブロアファン４、エバポレータ５が配設されている。通路部２のうちエバポレータ５の下流側部分が、隔壁６によって互いに並列に２つの独立通路７、８に区画され、この独立通路７、８の下流側は互いに合流された共通室９とされている。
【００１８】
前記隔壁６には、２つの独立通路７、８に突出するようにして、ヒータコア１０が保持されている。独立通路７には、ヒータコア１０の直上流側においてエアミックスダンパ１１が配設されている。同様に、独立通路８には、ヒータコア１０の直上流側においてエアミックスダンパ１２が配設されている。通路部２には、前記共通室９よりも上流側の独立通路７に臨ませて運転席用のエア通路１３が開口されている。また、通路部２には、前記共通室９よりも上流側の独立通路８に臨ませて助手席用のエア通路１４が開口されている。さらに、共通室９に臨ませて、複数のエア通路１５〜１７が開口されている。エア通路１５は例えばデフロスタ用とされ、エア通路１６、１７は例えばサイドベント用とされている。各エア通路１３〜１７には、開度調整用のダンパ１３Ａ〜１７Ａが配設されている。
【００１９】
エアミックスダンパ１１の開度（位置）変更により、エバポレータ５を通過した冷却エアがヒータコア１０を経由する割合が変更されて、独立通路７を通過した直後のエアの温度および湿度が調整される。この独立通路７を通過した直後のエアが、運転席に供給されることになる。なお、エアミックスダンパ１１は、電気式のモータ（アクチュエータ）１１Ａによって駆動されて、開度０％〜１００％の範囲で任意の開度をとり得るようになっている。
【００２０】
エアミックスダンパ１２の開度（位置）変更により、エバポレータ５を通過した冷却エアがヒータコア１０を経由する割合が変更されて、独立通路８を通過した後のエアの温度および湿度が調整される。この独立通路８を通過した直後のエアが、助手席に供給されることになる。なお、エアミックスダンパ１２は、電気式のモータ（アクチュエータ）１２Ａによって駆動されて、開度０％〜１００％の範囲で任意の開度をとり得るようになっている。
【００２１】
前述の説明から明らかなように、実施形態では、運転席用と助手席用との空調が個別に制御可能となっている。そして、エアミックスダンパ１１、１２の開度を図中実線で示す１００％としたときに、運転席および助手席に対する空調温度がもっとも高くされる。逆に、エアミックスダンパ１１、１２の開度を図中破線で示す０％としたときに、運転席および助手席に対する空調温度がもっとも低くされる。なお、エア通路１５〜１７へは、独立通路７と８とを通過した空調エアが混合された混合エアが供給されることになる。
【００２２】
１８は、流入口１近傍に設けられた内気導入口であり、前述した切換ダンパ１により外気導入と内気循環とが切換えられる。
【００２３】
図４は、エバポレータ５に対する冷媒の循環経路と、ヒータコア１０に対するエンジン冷却水の循環経路を示すものである。この図４において、コンプレッサ５０の回転軸に取付けたプーリ５１と、エンジンＥＧ（のクランク軸）に取付けたプーリ５２との間にベルト５３が巻回されて、エンジンＥＧによってコンプレッサ５０が回転駆動される。コンプレッサ５０によって圧縮された冷媒が、配管５４、コンデンサ５５、配管５６を経てエバポレータ５に供給される。エバポレータ５に供給された冷媒は、空調風と熱交換された後に、配管５７を経てコンプレッサ５０に戻される。上記コンプレッサ５０、コンデンサ５５、エバポレータ５が、冷風生成器の主要構成要素となる。なお、プーリ５１にはクラッチ５１Ａが組み込まれて、エンジンＥＧが作動しているときでも、適宜コンプレッサ５０の駆動を停止可能とされている。
【００２４】
一方、エンジンＥＧによって駆動されるウオータポンプ６０からの冷却水は、配管６１を経てヒータコア１０に供給されて、ヒータコア１０によって空調風と熱交換される。そして、ヒータコア１０内の冷却水は、配管６２を経てウオータポンプ６０へ戻される。このウオータポンプ６０とヒータコア１０とが、温風生成器の主要構成要素となる。
【００２５】
図５は、乗員により操作される空調用パネル部ＫＰの一例を示すものであり、インストルメントパネルにセットされている。実施形態では、運転席と助手席とで左右独立して温度制御するものに対応しており、乗員により操作されるスイッチとして、次のように設定されている。
【００２６】
まず、スイッチ２１は、オートエアコンをＯＮするメインスイッチであり、プッシュ式とされている。スイッチ２２は、運転席の温度設定スイッチであり、ダイアル式とされている。スイッチ２３は、オートエアコンのＯＦＦスイッチであり、プッシュ式とされている。スイッチ２４は、風量調整用スイッチであり、ダイアル式とされている。スイッチ２５は、助手席用の温度を個別に選択する際に操作されるもので、プッシュ式とされている。スイッチ２６は、助手席用の温度調整用であり、ダイアル式とされている。
【００２７】
スイッチ３１は、エアコンをＯＦＦするスイッチである。スイッチ３２は、フロントデフロスタ作動用のスイッチである。スイッチ３３は、リアデフロスタ作動用スイッチである。スイッチ３４、３５は、空調風の吹出口選択用スイッチである。スイッチ３６は、外気導入選択用のスイッチである。スイッチ３７は、内気循環選択用のスイッチである。各スイッチ３１〜３７は、それぞれプッシュ式とされている。
【００２８】
図６は、空調システムＫの制御系統例が示される。この図６中、ＵＫは、マイクロコンピュータを利用して構成された空調システム用のコントローラ（制御ユニット）である。このコントローラＵＫには、前述した各種スイッチからの信号が入力される他、温度センサＳ０で検出されたヒータコア１０の温度、外気温センサＳ１で検出された外気温度、内気温センサＳ２で検出された室内温度、日射センサＳ３で検出された車室内への日射状態、温度センサＳ４で検出されたエバポレータ８の温度に関する信号、エアミックスダンパ１１、１２の実際の開度を検出する開度センサ１１Ｂ、１２Ｂからの信号が入力される。また、コントローラＵＫは、前述した各ダンパ等の機器類１、４、１１（１１Ａ）、１２（１２Ａ）、１３Ａ〜１７Ａ、１８の他、エンジンと冷媒圧縮用コンプレッサとの動力伝達経路に介在されたコンプレッサクラッチ５１Ａ（図４をも参照）を制御するようになっている。コントローラＵＫと、上記センサ、スイッチ、機器類とは、低速通信系でもって接続されている。
【００２９】
コントローラＵＫは、基本的に、各種センサＳ０〜Ｓ４で検出される車内外の環境条件と乗員によるスイッチ操作状態に応じて、目標室内温度を設定すると共に、実際の室内温度が目標室内温度にするのに最適な空調風吹出量、空調エア温度、空調風の吹出口の選択等を自動制御する。
【００３０】
低速通信系となるコントローラＵＫは、インストルメントパネルに設けたメータを介して、高速通信系（ＣＡＮ）に対して接続されている。この高速通信系には、エンジン自動停止と自動再始動を含むエンジン制御を行うＰＣＭ、自動変速機の変速制御等を行うＴＣＭ、エンジン自動停止時の自動ブレーキ制御を含むブレーキ制御を行うＤＳＣ、ドアの開閉状態の検出を含む車体回りの制御を行うＢＣＭ、キーの車内置き忘れの検出を含むスマートキーレスに関する制御を行うキーレスコントロールモジュール（ＳＫＥで表示）、パワーステアリング制御を行うＥＨＰＡＳが含まれる。コントローラＵＫには、ＰＣＭからアイドリングストップ状態に関する情報が入力される一方、コントローラＵＫからＰＣＭに対して、後述するように、空調制御状態に応じてアイドリングストップの許可信号または禁止信号を出力するようになっている。また、ＤＳＣには車速センサＳ１０が接続されており、車速センサＳ１０で検出された車速信号は、ＣＡＮを経由してコントローラＵＫおよびＰＣＭに入力される。
【００３１】
図７は、アイドリングストップに関する制御を行うＰＣＭに関する詳細な制御系統例を示すものである。この図７において、ＰＣＭには、各種センサあるいはスイッチＳ１０〜Ｓ１９からの信号が入力される。センサＳ１１は、アクセル開度を検出するアクセルセンサである。センサＳ１２は、スロットル開度を検出するスロットルセンサである。センサＳ１３は、クランクシャフトの回転角度位置を検出する角度センサである。センサＳ１４は、吸気温度を検出する吸気温センサである。センサＳ１４は、冷却水温を検出する水温センサである。センサＳ１６は、負圧式倍力装置を有するブレーキ装置における負圧を検出する負圧センサである。スイッチＳ１７は、ブレーキペダルが踏み込み操作されていることを検出するブレーキスイッチであり（ストップライトスイッチと兼用）。センサＳ１８は、自動変速機のレンジ位置を検出するレンジ位置センサである。Ｓ１９は、バッテリの充電量、電圧、消費電流等を総合的に検出するバッテリセンサである。
【００３２】
ＰＣＭは、エンジンの自動停止（アイドルストップ）と自動再始動の制御に関連して、次のような各種機器類４１〜４７を制御するようになっている。すなわち、４１は、スロットルバルブを駆動するアクチュエータであり、エンジン自動停止時に全閉とされる。４２は、電動式の可変バルブタイミング装置における駆動モータであり、エンジン自動停止時に、自動再始動に備えて吸気弁の開閉タイミングを遅らせる。４３は、燃料噴射弁であり、エンジン自動停止の際に燃料噴射がカットされる。４４はイグニッションコイルであり、エンジン自動停止時には通電が停止されて点火が禁止される。４５はスタータモータであり、エンジン自動再始動時に駆動される。４６は、オルタネータであり、エンジン自動停止時に、オルタネータの負荷を上げることによりエンジン回転数を下げる。４７は、ＤＣ／ＤＣコンバータであり、エンジン自動再始動時のためにクランキングを行う際に、バッテリの電力低下を補うように制御される。なお、ＰＣＭには、ルーフＲの開閉を検出する（開状態と閉状態とを識別する）スイッチＳ２０からの信号が入力される。
【００３３】
車両停止時にエンジンを自動停止するアイドルストップが行われるが、これは、後述するアイドルストップ禁止条件の１つでも成立していないことを条件に実行される。
【００３４】
自動停止禁止条件（アイドルストップ禁止条件）
（１）車速が０でないとき。
（２）乗員によるブレーキ操作が行われていないとき。
（３）アクセルペダルが踏み込み操作されているとき。
（４）バッテリに関連して、電圧が所定電圧以下の低電圧のとき、充電量があらかじめ設定された所定充電量以下のとき、消費電流があらかじめ設定された所定電流以上のとき、あるいはバッテリ制御システムが異常のとき（異常信号発生のとき）。
（５）ハンドル舵角がニュートラル位置から所定の小舵角範囲内にないとき。
（６）変速機に関連して、変速機がＤレンジ位置にないとき、油温が所定温度範囲内にないとき、油圧が所定圧力範囲内にないとき、変速機異常信号が発生されているとき、クラッチ（ロックアップクラッチを含む）に異常があるとき。
（７）エンジンに関連して、冷却水温度が所定温度範囲にないとき、吸気温度が高すぎるとき、大気圧が低いとき。
（８）負圧式倍力装置を含むブレーキ装置でのブレーキ負圧が不足するとき、あるいはエンジンシステムの異常信号が発生されたとき。
（９）車体回りに関連して、イグニッションキーが車外に持ち出されているとき（スマートキーレスエントリーシステムの場合）、シートベルトが取外されているとき、いずれかのドアが開いているとき、あるいはボンネットが開いているとき。
（１０）路面の傾斜角度が大きいとき。
（１１）空調用コントローラＵＫから自動停止禁止信号が出力されているとき。この点については、後に詳述する。
【００３５】
上述の自動停止禁止条件はあくまで一例を示すものであり、その他の禁止条件を付加してもよい。例えば、エンジン自動停止を運転者の意思によってキャンセル（禁止）するＩＳスイッチＳ５がＯＮされているとき、エンジン回転数があらかじめ設定された回転数（安定したときのアイドル回転数よりもかなり高い回転数）以上の高回転であるととき、等の条件をさらに追加してもよい。逆に、上記禁止条件の一部を削除した設定とすることもできる。
【００３６】
エンジンを自動停止しているアイドルストップ状態からエンジンを自動再始動する自動再始動開始条件としては、上記自動停止禁止条件のいずれか１つが解除されたときとして設定することができるが、特に、少なくとも乗員によるブレーキ操作が解除されたときを自動再始動の条件として設定するのが好ましい。
【００３７】
次に、空調システムＫに関連した自動停止禁止条件について説明する。まず、空調の自動制御は、内気温センサＳ２で検出される実際の室内温度が、乗員により選択された温度調整ダイアル２２、２６に基づいて設定される目標室内温度に近づくように制御される。この空調自動制御に際しては、空調風の温度、吹出口の選択、空調風吹出量等が自動制御されることになる。
【００３８】
空調用のコントローラＵＫは、次の場合に、空調を優先すべく、車両停止時におけるエンジンの自動停止を禁止する禁止信号を出力する。なお、空調用コントローラＵＫは、自動停止禁止信号を出力しないときは、自動停止許可信号を出力する。
【００３９】
空調システム側からの自動停止禁止条件
（１）空調システムＫにおける各種センサ等の異常が発生したとき。
（２）外気温度が、極めて高いとき（例えば４０度Ｃ以上）、または極めて低いとき（例えば−１０度Ｃ以下）。
（３）デフロスタを使用しているとき（視界確保を優先）。
（４）乗員により選択された室内温度が、高温側の上限値であるとき（暖房要求が極めて強いとき）。
（５）乗員により選択された室内温度が、低温側の下限値でありかつエアコン作動されているとき（冷房要求が極めて強いとき）。
（６）目標室内温度と実際の室内温度との偏差が所定値よりも大きいとき。
【００４０】
空調用コントローラＵＫは、上記自動停止禁止条件が成立しないときは、エンジン自動停止時であっても、空調制御を行う。
【００４１】
コントローラＵＫは、ルーフ開時には、ルーフ閉時に比して、アイドルストップによるエンジンの自動停止の機会を増大させるべく、空調側からのアイドルストップ条件を緩和する。この緩和の条件としては、上記（１）〜（６）の条件のうち、適宜の１つあるいは複数の条件が削除される。例えば、上記（３）、（６）の条件が削除される。このように、アイドルストップ条件を緩和することにより、ルーフ開時は、ルーフ閉時に比して、アイドルストップによりエンジンが自動停止される機会が増大されて、その分燃費向上となる。
【００４２】
ここで、乗員による設定室内温度または車室内温度との少なくとも一方に基づいて決定される要求吹出温度が所定値よりも高い状態のときのアイドルストップ制御と空調制御とについて、ルーフ閉時とルーフ開時とに分けて説明する。
【００４３】
まず、ルーフ閉時には、乗員の空調ニーズが高いことから、要求吹出温度が所定値以上となったときは、空調を優先すべく、空調制御側からアイドルストップ禁止信号が出力されて、アイドルストップによるエンジン自動停止が行われないものとされる。
【００４４】
一方、ルーフ開時には、乗員の空調ニーズが低いことから、要求吹出温度が所定値以上となったときでも、空調制御側からアイドルストップ許可信号を出力して、アイドルストップによるエンジンの自動停止が実行可能な態様とされる。そして、アイドルストップによりエンジンが自動停止されたときは、強制的に内気循環モードとしつつ、空調風がヒータコア１０を通過するようにして、ヒータコア１０の余熱を利用して加温された暖房風を車室内に吹き出すようにしてある。
【００４５】
以上のことを前提として、図８を参照しつつ、ルーフ開時でのアイドルストップ制御および空調制御例について説明する。まず、ｔ１よりも前の時点では、エンジンが駆動されており、しかも要求吹出温度が徐々に高くなるように変化され、やがて要求吹出温度が所定値以上となった状態とされる。このｔ１時点よりも前の状態では、空調制御側からはアイドルストップ許可信号が出力されており、また外気循環モード（切換ダンパ３が図３中破線の位置とされる状態）とされて、外部からの乾いた冷たい空気によってくもり止めを行うと共に、エバポレータ５の高温化が防止される（燃費向上）。
【００４６】
ｔ１時点において、アイドルストップ条件が満足されたということで、エンジンが自動停止される。エンジンが自動停止された後は、切換ダンパ３が、図３実線で示す内気循環モードに強制的に切換えられる。また、空調風がヒータコア１０を通過するようにダンパ１１、１２の位置が設定される。これにより、ヒータコア１０の余熱によって空調風が加温されて、暖房風となって車室内に吹き出される。
【００４７】
エンジンの自動停止中に、空調風がヒータコア１０を通過することにより、ヒータコア１０の温度が徐々に低下して、空調風の加温効果が徐々に低減される。ｔ３時点になると、ヒータコア０の温度が大きく低下して、要求吹出温度とそのときのヒータコア１０の温度からして実現可能な吹出温度との差が、所定温度差以上となったときである。このときは、もはやヒータコア１０を利用した暖房は不可能であるとして、空調制御側からアイドルストップ禁止信号が出力されて、エンジンが自動再始動される。エンジンの自動再始動により、ヒータコア１０が再び高温化されて、十分な暖房を行うことが可能となる。
【００４８】
図９は、ルーフ開時における空調制御例を示すフローチャートであり、以下このフローチャートについて説明する。なお、以下の説明で、Ｑはステップである。
【００４９】
まず、Ｑ１において、各種センサ等からの信号が読み込まれた後、Ｑ２において、外気温度に応じたアイドルストップを禁止条件が成立するか否かが判別される。このＱ２の判別でＮＯのときは、Ｑ３において、要求吹出温度ＴＡＯが算出される。この要求吹出温度は、乗員によりマニュアル設定される設定車室内温度または車室内温度との少なくとも一方あるいは両方に基づいて算出される。
【００５０】
Ｑ３の後、Ｑ４において、要求吹出温度ＴＡＯが所定値（所定温度で、例えば６０℃）以上であるか否かが判別される。このＱ４の判別でＹＥＳのときは、Ｑ５において、ルーフ開時であるか否かが判別される。このＱ５の判別でＹＥＳのときは、Ｑ６において、アイドルストップ許可信号が出力される。また、Ｑ４の判別でＮＯのときは、Ｑ５を経ることなく、Ｑ６に移行される。
【００５１】
Ｑ６の後、Ｑ７において、現在アイドルストップによるエンジン自動停止時であるか否かが判別される。このＱ７の判別でＹＥＳのときは、Ｑ８において、内気循環モードでもって、空調風がヒータコア１０を通過するように空調制御される。この後、Ｑ９において、エンジン自動停止から所定時間経過したか否かが判別される。この所定時間は、例えば３０〜６０秒の範囲での一定時間とすることができ、またヒータコア１０の温度が高いほど所定時間が長くなるようにしてもよい。
【００５２】
前記Ｑ９の判別でＹＥＳのときは、要求吹出温度と実際の吹出温度との差が所定温度差以上であるか否かが判別される。すなわち、要求吹出温度が、実現可能な吹出温度よりも所定温度差以上高いか否かが判別される。このＱ１０の判別でＮＯのときは、Ｑ１へリターンされる。
【００５３】
Ｑ１０の判別でＹＥＳのときは、もはやヒータコア１０の余熱を利用した空調風の十分な加温は不可能な状態のときである。このときは、Ｑ１２に移行して、アイドルストップによるエンジンの自動停止を禁止する禁止信号が出力され、これによりエンジンが自動再始動される。
【００５４】
前記Ｑ２の判別でＹＥＳのときは、Ｑ１１において、通常通りの暖房が行われ、この後Ｑ１２に移行される（アイドルストップによるエンジンの自動停止無し）。前記Ｑ７の判別でＮＯのとき、あるいはＱ９の判別でＮＯのときは、それぞれリターンされる。
【００５５】
以上実施形態について説明したが、本発明は、実施形態に限定されるものではなく、特許請求の範囲の記載された範囲において適宜の変更が可能であり、例えば次のような場合をも含むものである。ルーフ開閉式の車両としては、フルオープンを選択できる車両に限らず、例えばタルガトップ式の車両やサンルーフ式の車両等、ルーフの一部が開閉される形式の車両であってもよい。ルーフ開時でのエンジン自動停止時において、空調風の吹出し方向を乗員の足下付近にのみ指向させるようにしてもよく、また乗員が運転席にのみ存在するときは、助手席側用の吹き出し口を閉じて、運転席側の吹き出し口のみを開口させるようにしてもよい。ルーフ開時でのエンジン自動停止時に、ヒータコア１０を通過する空調風量を徐々に増大させるようにしてもよい（ダンパ１１、１２の開度を徐々に変更で、ヒータコア１０が低温化するにつれてヒータコア１０を通過する空調風量を増大させる）。
勿論、本発明の目的は、明記されたものに限らず、実質的に好ましいあるいは利点として表現されたものを提供することをも暗黙的に含むものである。
【産業上の利用可能性】
【００５６】
本発明はルーフが開閉されると共にエンジンの自動停止を行う車両の空調制御用として好適である。
【符号の説明】
【００５７】
ＵＫ：コントローラ（空調制御用）
ＥＧ：エンジン
Ｋ：空調システム
３：切換ダンパ（内外気切換用）
４：ブロアファン
５：エバポレータ
１０：ヒータコア
１１：エアミックスダンパ
１１Ａ：モータ（アクチュエータ）
１１Ｂ：開度センサ
１２：エアミックスダンパ
１２Ａ：モータ（アクチュエータ）
１２Ｂ：開度センサ
５０：コンプレッサ
５５：コンデンサ
６０：ウオータポンプ
【図１】
2015186962.tif 000003
【図２】
2015186962.tif 000004
【図３】
2015186962.tif 000005
【図４】
2015186962.tif 000006
【図５】
2015186962.tif 000007
【図６】
2015186962.tif 000008
【図７】
2015186962.tif 000009
【図８】
2015186962.tif 000010
【図９】
2015186962.tif 000011